(57)【要約】【課題】  色変換を実行する色変換装置、色変換システム、色変換方法、およびコンピュータシステムに組み込まれてそのコンピュータシステムに色変換を実行させる色変換プログラムに関し、適切な明度補正が含まれた色変換を実行する。【解決手段】  第１のデバイスにおける色再現領域と、第２のデバイスにおける色再現領域との明度のレンジ差に基づいた明度補正について、明度レンジを複数に分けたレンジ区間と、１つ以上のレンジ区間における明度補正の調整量とを定義した明度補正定義を入手して、その明度補正定義によって定義された明度補正をデバイス間色変換に反映させる。【選択図】        図９
2005252985.tif 000002
【特許請求の範囲】
【請求項１】
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間のデバイス間色変換を実行する色変換装置において、
前記第１のデバイスにおける色再現領域と、前記第２のデバイスにおける色再現領域との明度のレンジ差に基づいた明度補正について、明度レンジを複数に分けたレンジ区間と、１つ以上のレンジ区間における明度補正の調整量とを定義した明度補正定義を入手する明度補正定義入手部と、
前記明度補正定義入手部によって入手された明度補正定義によって定義された明度補正を前記デバイス間色変換に反映させる色変換修正部とを備えたことを特徴とする色変換装置。
【請求項２】
前記レンジ区間と前記調整量とを操作に応じて定義して前記明度補正定義を作成する明度補正定義作成部を備えたことを特徴とする請求項１記載の色変換装置。
【請求項３】
前記第１の色変換定義および前記第２の色変換定義が、デバイス色空間の座標値と非依存色空間の座標値とを対応付けることで色変換を定義したものであり、
前記色変換定義修正部が、前記明度補正を前記デバイス間色変換に反映させるに当たって、該色変換定義における非依存色空間の座標値を修正するものであることを特徴とする請求項１記載の色変換装置。
【請求項４】
前記第１の色変換定義および前記第２の色変換定義が、デバイス色空間の座標値と非依存色空間の座標値とを対応付けることで色変換を定義したものであり、
前記色変換定義修正部が、前記明度補正を前記デバイス間色変換に反映させるに当たって、該色変換定義におけるデバイス色空間の座標値を修正するものであることを特徴とする請求項１記載の色変換装置。
【請求項５】
前記デバイス色空間がＣＭＹＫ色空間であり、
前記色変換定義修正部が、前記明度補正を前記デバイス間色変換に反映させるに当たって、該色変換定義におけるデバイス色空間のＫ値を修正するものであることを特徴とする請求項４記載の色変換装置。
【請求項６】
前記デバイス色空間がＣＭＹＫ色空間であり、
前記色変換定義修正部が、前記明度補正を前記デバイス間色変換に反映させるに当たって、該色変換定義におけるデバイス色空間のＣＭＹ値を修正するものであることを特徴とする請求項４記載の色変換装置。
【請求項７】
前記色変換定義修正部が、前記明度補正を、前記デバイス間色変換のうち、特定の色相領域における色変換部分に反映させるものであることを特徴とする請求項１記載の色変換装置。
【請求項８】
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間のデバイス間色変換を実行する色変換システムにおいて、
前記第１のデバイスにおける色再現領域と、前記第２のデバイスにおける色再現領域との明度のレンジ差に基づいた明度補正について、明度レンジを複数に分けたレンジ区間と、１つ以上のレンジ区間における明度補正の調整量とを操作に応じて定義する明度補正定義部と、
前記明度補正定義部によって定義された明度補正を前記デバイス間色変換に反映させる色変換修正部とを備えたことを特徴とする色変換システム。
【請求項９】
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間のデバイス間色変換を実行する色変換方法において、
前記第１のデバイスにおける色再現領域と、前記第２のデバイスにおける色再現領域との明度のレンジ差に基づいた明度補正について、明度レンジを複数に分けたレンジ区間と、１つ以上のレンジ区間における明度補正の調整量とを定義した明度補正定義を入手する明度補正定義入手過程と、
前記明度補正定義入手過程で入手された明度補正定義によって定義された明度補正を前記デバイス間色変換に反映させる色変換修正過程とを有することを特徴とする色変換方法。
【請求項１０】
コンピュータシステムに組み込まれ、該コンピュータシステムに、
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間のデバイス間色変換を実行させる色変換プログラムにおいて、
前記コンピュータシステム上に
前記第１のデバイスにおける色再現領域と、前記第２のデバイスにおける色再現領域との明度のレンジ差に基づいた明度補正について、明度レンジを複数に分けたレンジ区間と、１つ以上のレンジ区間における明度補正の調整量とを定義した明度補正定義を入手する明度補正定義入手部と、
前記明度補正定義入手部によって入手された明度補正定義によって定義された明度補正を前記デバイス間色変換に反映させる色変換修正部とを構成することを特徴とする色変換プログラム。
【発明の詳細な説明】
【技術分野】
【０００１】
本発明は、色変換を実行する色変換装置、色変換システム、色変換方法、およびコンピュータシステムに組み込まれてそのコンピュータシステムに色変換を実行させる色変換プログラムに関する。
【背景技術】
【０００２】
例えば印刷の分野などでは、従来より、スキャナやデジタルスチルカメラなどといった入力デバイスによって原稿を取り込み、画像を表した画像データや、画像や文字や図形などが配置された印刷物のページを記述したページデータなどを作成し、それら画像データやページデータに基づいてプリンタや印刷システムなどといった出力デバイスによって印刷物を出力する入力＿編集＿出力システムが知られている。このような入力＿編集＿出力システムには、画像や文字の色が印刷物上で適切な色になるように画像データやページデータに色変換を施すための色変換装置や色変換プログラムが組み込まれていることが一般的である。
【０００３】
この色変換装置や色変換プログラムにおける色変換では、原稿の画像などを取り込むために用いられた入力デバイスに依存したデバイス色空間（例えばＲＧＢ色空間やＣＭＹＫ色空間）とデバイスに非依存の共通色空間（例えばＬａｂ色空間やＬＣＨ色空間）との間の色変換を定義した色変換定義（入力プロファイル）や、印刷物の出力に用いられる出力デバイスに依存したデバイス色空間と共通色空間との間の色変換を定義した色変換定義（出力プロファイル）が用いられる。これらの色変換定義は、各入力デバイスや各出力デバイスにおける色再現特性に依存した色変換を定義したものであって、入力デバイスや出力デバイスの機種毎に用意され、あるいは同種のデバイスについても個々の装置毎に用意され、更にあるいは同一の装置についても用紙やインクの違いを考慮した入出力条件毎に用意される場合もある。
【０００４】
そして、これらの色変換定義が結合された、デバイス空間相互間の色変換を定義した色変換定義（デバイスリンクプロファイル）が作成されて色変換が実行される（例えば、特許文献１参照。）。
【０００５】
色変換定義の結合に際しては、共通色空間を介して単純に結合すると、各デバイスによる表現可能な色の範囲の相違に起因した不都合が生じる場合があるので、そのような相違を吸収するための修正が、結合される各色変換定義に基づいて行われることが多い（例えば、特許文献２参照。）。また、そのような修正の際に、表現可能な色の範囲の明度レンジを揃えるように色の明度を補正することも提案されている（例えば、特許文献３参照。）。
【特許文献１】特開２００２−１３９３８１号公報
【特許文献２】特開平４−１９６６７５号公報
【特許文献３】特開２００１−１０３３２９号公報（第９図）
【発明の開示】
【発明が解決しようとする課題】
【０００６】
しかし、明度レンジを単に揃えるような明度補正が行われると、特に、明度レンジの差が大きくて大きな明度レンジから小さな明度レンジへと縮小された場合などには、色変換後の画像が、メリハリ感に欠けた浅い画像となってしまうという問題がある。
【０００７】
このような問題は、前述の入力＿編集＿出力システムに限定された問題ではなく、プロファイルに基づいた色変換を行うための、色変換装置、色変換方法、および色変換プログラムにおいて一般的に生じる問題である。
【０００８】
本発明は上記事情に鑑み、適切な明度補正が含まれた色変換を実行することができる色変換装置、色変換システム、色変換方法、およびコンピュータシステムにそのような色変換を実行させる色変換プログラムを提供することを目的とする。
【課題を解決するための手段】
【０００９】
上記目的を達成する本発明の色変換装置は、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、第１のデバイス色空間と第２のデバイス色空間との間のデバイス間色変換を実行する色変換装置において、
上記第１のデバイスにおける色再現領域と、上記第２のデバイスにおける色再現領域との明度のレンジ差に基づいた明度補正について、明度レンジを複数に分けたレンジ区間と、１つ以上のレンジ区間における明度補正の調整量とを定義した明度補正定義を入手する明度補正定義入手部と、
明度補正定義入手部によって入手された明度補正定義によって定義された明度補正を上記デバイス間色変換に反映させる色変換修正部とを備えたことを特徴とする。
【００１０】
本発明の色変換装置によれば、明度補正の定義に上記レンジ区間および上記調整量が用いられるので適切な明度補正が定義可能である。また、そのように定義された明度補正が上記デバイス間色変換に反映されるので、そのデバイス間色変換には、適切な明度補正が含まれることとなる。
【００１１】
本発明の色変換装置は、上記レンジ区間と上記調整量とを操作に応じて定義して明度補正定義を作成する明度補正定義作成部を備えることが好適である。
【００１２】
この明度補正定義作成部を備えた色変換装置のユーザは、好みなども反映された適切な明度補正が得られるような明度補正定義を操作によって作成することができる。
【００１３】
本発明の色変換装置は、
「  上記第１の色変換定義および上記第２の色変換定義が、デバイス色空間の座標値と非依存色空間の座標値とを対応付けることで色変換を定義したものであり、
上記色変換定義修正部が、明度補正をデバイス間色変換に反映させるに当たって、その色変換定義における非依存色空間の座標値を修正するものである」
という第１の形態であってもよく、あるいは、
「  上記第１の色変換定義および上記第２の色変換定義が、デバイス色空間の座標値と非依存色空間の座標値とを対応付けることで色変換を定義したものであり、
上記色変換定義修正部が、明度補正をデバイス間色変換に反映させるに当たって、その色変換定義におけるデバイス色空間の座標値を修正するものである」
という第２の形態であってもよい。
【００１４】
また、本発明の色変換装置が上記第２の形態であって、上記デバイス色空間がＣＭＹＫ色空間である場合には、
上記色変換定義修正部が、明度補正をデバイス間色変換に反映させるに当たって、その色変換定義におけるデバイス色空間のＫ値を修正するものであってもよく、あるいは、
上記色変換定義修正部が、明度補正をデバイス間色変換に反映させるに当たって、その色変換定義におけるデバイス色空間のＣＭＹ値を修正するものであってもよい。
【００１５】
デバイス色空間のＫ値が修正される場合には、色相が維持されて明度のみが補正される色変換が容易に得られる。一方、デバイス色空間のＣＭＹ値が修正される場合には、出力画像の画質に対する影響が大きいＫ値が維持された明度補正を含んだ色変換が得られる。
【００１６】
また、本発明の色変換装置は、上記色変換定義修正部が、明度補正を、デバイス間色変換のうち、特定の色相領域における色変換部分に反映させるものであることが好ましい。
【００１７】
このような好ましい形態の色変換装置によれば、例えば肌色を含んだ領域などというような特定の色相領域に限定された明度補正を色変換に含ませること可能であり、そのような調整によって、例えば人物の顔の部分については特別な明度補正が施されるといった形態が実現される。
【００１８】
上記目的を達成する本発明の色変換システムは、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、第１のデバイス色空間と第２のデバイス色空間との間のデバイス間色変換を実行する色変換システムにおいて、
上記第１のデバイスにおける色再現領域と、上記第２のデバイスにおける色再現領域との明度のレンジ差に基づいた明度補正について、明度レンジを複数に分けたレンジ区間と、１つ以上のレンジ区間における明度補正の調整量とを操作に応じて定義する明度補正定義部と、
明度補正定義部によって定義された明度補正を上記デバイス間色変換に反映させる色変換修正部とを備えたことを特徴とする。
【００１９】
本発明の色変換システムによれば、本発明の色変換装置と同様に、レンジ区間と調整量とが用いられて適切な明度補正が定義されるととも、色変換には適切な明度補正が含まれることとなる。
【００２０】
上記目的を達成する本発明の色変換方法は、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、第１のデバイス色空間と第２のデバイス色空間との間のデバイス間色変換を実行する色変換方法において、
上記第１のデバイスにおける色再現領域と、上記第２のデバイスにおける色再現領域との明度のレンジ差に基づいた明度補正について、明度レンジを複数に分けたレンジ区間と、１つ以上のレンジ区間における明度補正の調整量とを定義した明度補正定義を入手する明度補正定義入手過程と、
明度補正定義入手過程で入手された明度補正定義によって定義された明度補正を上記デバイス間色変換に反映させる色変換修正過程とを有することを特徴とする。
【００２１】
本発明の色変換方法によれば、本発明の色変換装置と同様に、適切な明度補正が定義されるととも、色変換には適切な明度補正が含まれることとなる。
【００２２】
上記目的を達成する本発明の色変換プログラムは、
コンピュータシステムに組み込まれ、そのコンピュータシステムに、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、第１のデバイス色空間と第２のデバイス色空間との間のデバイス間色変換を実行させる色変換プログラムにおいて、
上記コンピュータシステム上に
上記第１のデバイスにおける色再現領域と、上記第２のデバイスにおける色再現領域との明度のレンジ差に基づいた明度補正について、明度レンジを複数に分けたレンジ区間と、１つ以上のレンジ区間における明度補正の調整量とを定義した明度補正定義を入手する明度補正定義入手部と、
明度補正定義入手部によって入手された明度補正定義によって定義された明度補正を上記デバイス間色変換に反映させる色変換修正部とを構成することを特徴とする。
【００２３】
本発明の色変換プログラムによれば、本発明の色変換装置の構成要素がコンピュータシステムによって容易に構成される。
【００２４】
なお、本発明にいう色変換方法および色変換プログラムについては、ここではその基本形態のみを示すのにとどめるが、これは単に重複を避けるためであり、本発明にいう色変換方法および色変換プログラムには、上記の基本形態のみではなく、前述した色変換装置の各形態に対応する各種の形態が含まれる。
【００２５】
また、本発明の色変換プログラムが組み込まれるコンピュータシステムは、１台のコンピュータと周辺機器からなるものであってもよく、あるいは複数台のコンピュータを含むものであってもよい。
【００２６】
さらに、本発明の色変換プログラムがコンピュータ上に構成するレンジ補正部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００２７】
以上説明したように、本発明によれば、適切な明度補正が含まれた色変換が実行されることとなる。
【発明を実施するための最良の形態】
【００２８】
以下図面を参照して本発明の実施の形態を説明する。
【００２９】
図１は、本発明の一実施形態が適用された入力＿編集＿出力システムの全体構成図である。
【００３０】
ここには、本発明の色変換装置の一実施形態として動作する１台の色変換サーバ１００と、３台のクライアントマシン２００，２１０，２２０と、２台のＲＩＰ（Ｒａｓｔｅｒ  Ｉｍａｇｅ  Ｐｒｏｃｅｓｓｏｒ）サーバ３００，３１０と、１台のスキャナ４００と、３台の画像出力用のプリンタ６００，６１０，６２０とが示されている。
【００３１】
図１に示す各マシンの中で、色変換サーバ１００、クライアントマシン２００，２１０，２２０、ＲＩＰ３００，３１０，およびスキャナ４００は通信回線５００を介して相互に接続されて、ＬＡＮ（Ｌｏｃａｌ  Ａｒｅａ  Ｎｅｔｗｏｒｋ）を構成している。また、プリンタ６００，６１０はＲＩＰサーバ３００に接続され、プリンタ６２０はＲＩＰサーバ３１０に接続されている。
【００３２】
スキャナ４００は、用紙上の画像を読み取り、画像を表す画像データを生成する。生成された画像データは、通信回線５００を介してクライアントマシン２００，２１０，２２０などに送られる。
【００３３】
クライアントマシン２００，２１０，２２０は、それぞれ小型のワークステーションまたはパーソナルコンピュータなどで構成されており、スキャナ４００で原稿が読みとられて生成された画像データや、デジタルカメラ（図示しない）で撮影された撮影画像に基づく画像データなどが入力される。クライアントマシン２００，２１０，２２０では、オペレータにより、文字や図形や画像等といった要素が配置されたページや単独の画像が電子的に編集され、編集されたページや画像を表すページデータや画像データが生成される。このように生成されたデータは、例えば１冊の印刷物を構成するような一連のデータ毎に１ジョブとしてまとめられ、そのジョブ単位で、通信回線５００を介して色変換サーバ１００に送られる。
【００３４】
色変換サーバ１００は、クライアントマシン２００，２１０，２２０などと比べて大型なワークステーションまたはパーソナルコンピュータ等で構成されており、各クライアントマシン２００，２１０，２２０からページデータなどが送られてくると、それらのデータに色変換処理を施す。色変換処理の詳細は後に譲るが、色変換サーバ１００は、いわゆるジョブチケットに従って色変換処理を実行するものであり、上述の各クライアントマシン２００，２１０，２２０は、ジョブチケットを編集して色変換サーバ１００に登録する機能も有している。色変換サーバ１００は、送られてきたジョブの各データに対し、ジョブチケットに従った色変換処理を施す。
【００３５】
ところで、このページデータや画像データは、このままではプリンタ６００，６１０，６２０などの出力デバイスで出力することができない形式のデータである。このため、色変換処理が施されたデータは、出力デバイスではなく、まずはＲＩＰサーバ３００，３１０に送られる。
【００３６】
ＲＩＰサーバ３００，３１０は、それぞれ小型のワークステーションまたはパーソナルコンピュータなどで構成されている。色変換サーバ１００から色変換処理が施されたページデータなどが送られてくると、ＲＩＰサーバ３００，３１０はページデータなどに網点化処理を施して、各プリンタ６００，６１０，６２０で出力可能な網点形式のビットマップデータに変換する。変換後のビットマップデータは、プリンタ６００，６１０，６２０に入力され、プリンタ６００，６１０，６２０では、その入力されたビットマップデータに基づく出力画像が作成される。
【００３７】
この図１に示す入力＿編集＿出力システムを構成する各マシンのうち、色変換サーバ１００およびクライアントマシン２００，２１０，２２０に対して本発明の実施形態が適用されている。また、これらのマシンにおける本発明の実施形態としての特徴は、それらのマシン内で実行される処理にあるので、ここでは、これらのマシンのハードウェア構成について、色変換サーバ１００を代表させて説明する。
【００３８】
図１に示すように、色変換サーバ１００は、外観構成上、本体装置１０１、本体装置１０１からの指示に応じて表示画面１０２ａ上に画像や文字などを表示する画像表示装置１０２、本体装置１０１にキー操作に応じた各種の情報を入力するキーボード１０３、および、表示画面１０２ａ上の任意の位置を指定することにより、その位置に表示されている例えばアイコン等に応じた指示を入力するマウス１０４を備えている。また、本体装置１０１は、外観上、フレキシブルディスク（以下、ＦＤと省略する）を装填するためのＦＤ装填口１０１ａ、およびＣＤ−ＲＯＭを装填するためのＣＤ−ＲＯＭ装填口１０１ｂを有する。
【００３９】
図２は、図１に示す色変換サーバに代表されるコンピュータシステムのハードウェア構成図である。
【００４０】
図１に示す色変換サーバ１００の本体装置１０１の内部には、図２に示すように、各種プログラムを実行するＣＰＵ１１１、各種プログラムやデータ等が保存されたハードディスク装置１１３、ハードディスク装置１１３に格納されたプログラムが読み出されＣＰＵ１１１での実行のために展開される主メモリ１１２、ＦＤ１０をアクセスするＦＤドライブ１１４、ＣＤ−ＲＯＭ２０が装填され、その装填されたＣＤ−ＲＯＭ２０をアクセスするＣＤ−ＲＯＭドライブ１１５、図１の通信回線５００に接続され、他のマシンとの通信を制御する通信インタフェース１１７が内蔵されており、これらと、さらに図１にも示す画像表示装置１０２、キーボード１０３、マウス１０４は、バス１１０を介して相互に接続されている。
【００４１】
ＣＤ−ＲＯＭ２０には、図１に示す入力＿編集＿出力システム上に本発明の色変換システムの一実施形態を構築するための各プログラムが記憶されている。このＣＤ−ＲＯＭ２０はＣＤ−ＲＯＭドライブ１１５に装填され、そのＣＤ−ＲＯＭ２０に記憶された色変換プログラムがこの色変換サーバ１００にアップロードされてハードディスク装置１１３に記憶される。また、図１の通信回線５００を介して各クライアントマシン２００，２１０，２２０に、必要なプログラムがダウンロードされる。そして、各マシンに記憶された各プログラムが起動されて実行されることにより、入力＿編集＿出力システムは、本発明の色変換システムの一実施形態として動作し、色変換サーバ１００は、本発明の色変換装置の一実施形態として動作し、各クライアントマシン２００，２１０，２２０は、本発明にいう明度補正定義作成部および明度補正定義部の一例に相当するジョブチケット編集装置として動作する。なお、各クライアントマシン２００，２１０，２２０にプログラムを導入する方式は、ここで例示した通信回線５００を介したダウンロードの方式に限られず、例えばＣＤ−ＲＯＭなどに記憶されて各クライアントマシン２００，２１０，２２０に直接アップロードされる方式であってもよい。
【００４２】
ここで、入力＿編集＿出力システム上に構築される色変換システムの基本的な概念について説明し、その後、その色変換システムにおける本発明の実施形態としての特徴について説明する。
【００４３】
図３は、図１に示す入力＿編集＿出力システム上に構築された本発明の色変換システムの一実施形態の機能を示す機能ブロック図である。
【００４４】
図１に示す入力＿編集＿出力システム上に構築された色変換システムは、この図３に示すように、ジョブチケット編集装置２５０、ジョブチケット記憶装置１２０、および色変換装置１３０で構成されている。ジョブチケット編集装置２５０は、図１に示すクライアントマシン２００，２１０，２２０上に構築されており、色変換装置１３０は、図１に示す色変換サーバ１００上に構築されている。また、ジョブチケット記憶装置１２０は、図２に示すハードディスク装置１１３がその機能を担っている。
【００４５】
色変換装置１３０は、入力処理部１３１と、色処理部１４０と、出力処理部１３５と、制御部１３６と、プロファイル記憶部１３７とから構成されている。
【００４６】
ジョブチケット編集装置２５０は、操作に応じてジョブチケット１２１を編集し、ジョブチケット記憶装置１２０に登録するものであり、色変換装置１３０は、ジョブチケット記憶装置１２０に登録されたジョブチケット１２１に従って色変換処理を実行するものである。
【００４７】
色変換装置１３０における色変換処理には、大きく分けて、入力処理、色処理、および出力処理という３つの処理が含まれており、上述したジョブチケットによって指定される入力フォルダに送られてくるジョブに対して各処理を施して、そのジョブチケットによって指定される出力フォルダに出力する。
【００４８】
入力処理部１３１は入力処理を実行するものであり、ジョブチケット１２１が指定している入力フォルダにジョブが入力されたことを受けてそのジョブの各データを後段の処理に順次に送る。
【００４９】
出力処理部１３５は出力処理を実行するものであり、色変換処理の各処理を経たデータを、ジョブチケット１２１が指定している出力フォルダに出力する。
【００５０】
制御部１３６は、ジョブチケット記憶装置１２０に登録されているジョブチケット１２１を入手して、そのジョブチケット１２１の内容に従って各要素における処理を制御する。
【００５１】
色処理部１４０は、色処理を実行するものであり、プロファイル記憶部１３７に記憶されている入力プロファイルと出力プロファイルとを結合してリンクプロファイルを作成し、そのリンクプロファイルで定義された通りに色を変換する。結合される入力プロファイルと出力プロファイルは、ジョブチケット中で指定されている。
【００５２】
この入力プロファイルと出力プロファイルは、本発明にいう第１の色変換定義および第２の色変換定義の一例に相当するものであり、これらプロファイルの構造について以下説明する。
【００５３】
図４は、プロファイルの概念構造図である。
【００５４】
ここに示されたプロファイル７００は、リンクプロファイルとして結合される前の入力プロファイルあるいは出力プロファイルを表しており、ここでは、本発明にいうデバイス色空間の一例に相当するＣＭＹＫ色空間と、本発明にいう非依存色空間の一例に相当するＬａｂ色空間との相互間における色変換が定義されている。
【００５５】
プロファイル７００は、Ａ２Ｂと称される順変換定義部７１０と、Ｂ２Ａと称される逆変換定義部７２０とで構成されており、順変換定義部７１０は、ＣＭＹＫ色空間上に規則的に並ぶ複数の格子点７１１の座標値（即ちＣＭＹＫ値）と、それらの格子点に対応するＬａｂ色空間上の対応点７１２の座標値（即ちＬａｂ値）との組み合わせによってＣＭＹＫ色空間からＬａｂ色空間への色変換を定義している。一方、逆変換定義部７２０は、Ｌａｂ色空間上に規則的に並ぶ複数の格子点７２１の座標値（即ちＬａｂ値）と、それらの格子点に対応するＣＭＹＫ色空間上の対応点７２２の座標値（即ちＣＭＹＫ値）との組み合わせによってＬａｂ色空間からＣＭＹＫ色空間への色変換を定義している。
【００５６】
リンクプロファイルが作成される際には、結合対象の２つのプロファイルのうちの一方が有する順変換定義部７１０と、その２つのプロファイルのうちの他方が有する逆変換定義部７２０が、共通のＬａｂ色空間で仲介されて結合されることにより、２つのデバイス色空間を繋ぐ色変換を定義したリンクプロファイルとなる。
【００５７】
図３に示す色変換システムにおける、本発明の実施形態としての特徴は、色処理部１４０でプロファイルが結合されてリンクプロファイルが作成される際の処理にあり、この色処理部１４０では、リンクプロファイルが作成される際に、各デバイスにおける色再現領域の明度のレンジ差に基づいて、そのレンジ差を補正するような明度補正が実行される。この明度補正の定義はオペレータの操作に従って設定されてジョブチケット１２１中に組み込まれており、ジョブチケット編集装置２５０には、明度補正定義を作成してジョブチケット１２１中に組み込むためのＧＵＩが用意されている。従って、ジョブチケット編集装置２５０は、本発明にいう明度補正定義作成部および明度補正定義部の一例に相当する。また、色変換装置１３０を構成する各要素のうち、制御部１３６は、本発明にいう明度補正定義入手部の一例に相当し、色処理部１４０には、本発明にいう色変換修正部の一例に相当する機能が組み込まれている。また、ジョブチケット編集装置２５０で編集されてジョブチケット記憶装置１２０に登録されるジョブチケット１２１は、本発明にいう明度補正定義の一例を含んだものである。
【００５８】
以下、この明度補正の詳細説明も含めて、具体的な実施形態の説明を行う。
【００５９】
図５は、図１に示す入力＿編集＿出力システム上に図３に示す色変換システムを構築するための各プログラムを記憶した記憶媒体を示す図である。
【００６０】
この図５に示すプログラム記憶媒体３０は、プログラムが記憶された記憶媒体であればその種類を問うものではなく、例えばＣＤ−ＲＯＭにプログラムが格納されているときはそのＣＤ−ＲＯＭを指し、そのプログラムがローディングされてハードディスク装置に記憶されたときはそのハードディスク装置を指し、あるいはそのプログラムがフレキシブルディスクにダウンロードされたときはそのフレキシブルディスクを指す。
【００６１】
上述したように、本実施形態では、クライアントマシンをジョブチケット編集装置として動作させるジョブチケット編集プログラム４０と、色変換サーバ１００を本発明の色変換装置の一実施形態として動作させる色変換プログラム５０が１つのプログラム記憶媒体３０に記憶されている。
【００６２】
色変換プログラム５０は、入力処理部５１と、色処理部６０と、出力処理部５５と、制御部５６とから構成されており、このうち色処理部６０は、更にレンジ補正部６１とプロファイル結合部６２と色処理実行部６３とから構成されている。これら入力処理部５１、色処理部６０、出力処理部５５、および制御部５６は、それぞれ色変換サーバ上に、図３に示す入力処理部１３１、色処理部１４０、出力処理部１３５、および制御部１３６を構成するものである。このように、図５に示す色変換プログラム５０の要素と図３に示す色変換装置１３０の要素とは互いに対応しているが、図３の各要素は、コンピュータシステムのハードウェアとそのコンピュータシステムで実行されるＯＳやアプリケーションプログラムとの組合せで構成されているのに対し、図５の各要素は、アプリケーションプログラムのみにより構成されている点が異なる。
【００６３】
図６は、図３に示す色変換システムの色変換装置１３０が有する色処理部１４０の詳細を示す図であり、図７は、その色処理部１４０における処理内容を表すフローチャートである。以下の説明ではこれら図６および図７を参照すると共に、適宜、グラフなどを参照する。
【００６４】
色処理部は、入力プロファイル明度特性変更処理部１４１と、デバイスリンクプロファイル生成部１４２と、色処理実行部１４３とで構成されており、これらの要素は、図５に示す色変換プログラム５０が有する色処理部６０のレンジ補正部６１とプロファイル結合部６２と色処理実行部６３とに対応している。
【００６５】
この色処理部は、ジョブチケットに含まれた、明度補正の定義に従った処理を行うものであり、本実施形態では、図３に示すジョブチケット編集装置２５０のＧＵＩで、この明度補正の定義として調整開始点と調整強度が設定される（図７のステップＳ０１）。調整開始点は、本発明にいうレンジ区間を区切る位置を定義したものであり、調整強度は、本発明にいう調整量を定義したものである。
【００６６】
入力プロファイル明度特性変更処理部１４１では、ジョブチケットで指定された入力プロファイル７０１と出力プロファイル７０２とのそれぞれにおけるＡ２Ｂが用いられて、色再現可能な範囲のＬ*値の幅（明度レンジ）が求められ、その明度レンジの比から、強度係数Ｒｌが以下のように求められる（図７のステップＳ０２）。
【００６７】
図８は、強度係数Ｒｌを求めるグラフを表す図である。
【００６８】
この図の横軸は明度レンジの比、縦軸は強度係数Ｒｌを表しており、グラフには、予めシステムに与えられている算出曲線８１０が示されている。この算出曲線８１０は、（１．０，１．０）の点を通り、明度レンジの比が１．０からずれると、そのずれた程度に応じた値の強度係数Ｒｌが得られるようにシステム設計者などが作ったものである。
【００６９】
図７のステップＳ０２では、このグラフの算出曲線８１０によって明度レンジの比に対応付けられている強度係数Ｒｌが求められる。
【００７０】
入力プロファイル明度特性変更処理部１４１では、次に、入力プロファイル７０１と出力プロファイル７０２とのそれぞれについて、白点のＬ*値と黒点のＬ*値が求められる（図７のステップＳ０３）。そして、これらのＬ*値と、上記ステップＳ０１で設定されている調整開始点および調整強度とに基づいて、明度補正（明度変換）の前後における明度の関係を表した変換カーブの基準点が以下説明するように求められる（図７のステップＳ０４）。
【００７１】
図９は、変換カーブを表した図である。
【００７２】
この図の横軸は、入力プロファイルにおけるＬ*値を表しており、縦軸は、出力プロファイルにおけるＬ*値を表している。また、この図のグラフには、２つの変換カーブ部分８２０，８３０で構成された変換カーブが示されている。
【００７３】
図７のステップＳ０３で求められた白点のＬ*値と黒点のＬ*値から、変換カーブの両端の２点Ｐ１，Ｐ２が求められる。即ち、入力プロファイルにおける黒点のＬ*値「Ｌ＊ｉｎｂ」と出力プロファイルにおける黒点のＬ*値「Ｌ＊ｏｕｔｂ」とで変換カーブの最下点Ｐ１の座標が求められ、入力プロファイルにおける白点のＬ*値「Ｌ＊ｉｎｗ」と出力プロファイルにおける白点のＬ*値「Ｌ＊ｏｕｔｗ」とで変換カーブの最上点Ｐ２の座標が求められる。
【００７４】
また、変換カーブの明度レンジを２つのレンジ区間に分割する分割点Ｐ３が、上記ステップＳ０１で設定されている調整開始点および調整強度とに基づいて求められる。
【００７５】
分割点Ｐ３の左右位置は、デフォルト位置が、変換カーブの明度レンジを「０」から「１」として規格化された比率によって定められており、その比率が実際の明度レンジに適用されて、無調整時における分割点Ｐ３の左右位置「Ｌ＊ｉｎｓ０」が求められている。上記調整開始点は、このような左右位置を調整する係数値Ｐｇｕｉの形で設定されており、調整後の分割点Ｐ３の左右位置「Ｌ＊ｉｎｓ」は、
Ｌ＊ｉｎｓ＝Ｐｇｕｉ×Ｌ＊ｉｎｓ０
という式で求められる。また、この分割点Ｐ３の高さ「Ｌ＊ｏｕｔｓ」は、変換カーブの両端点Ｐ１，Ｐ２を結ぶ線Ｌ１が上記左右位置「Ｌ＊ｉｎｓ」を通る高さ「Ｌ＊ｏｕｔｓ０」が基準となり、上記強度係数Ｒｌと、上記調整強度として設定された係数値Ｑｇｕｉとに基づいて、
Ｌ＊ｏｕｔｓ＝Ｌ＊ｏｕｔｓ０−（１．０−Ｒｌ）×Ｑｇｕｉ×Ｌ＊ｏｕｔｓ０
という式で求められる。
【００７６】
このように変換カーブの両端点Ｐ１，Ｐ２および分割点Ｐ３それぞれの位置が求められると、最上点Ｐ２と分割点Ｐ３とを結ぶ直線として第１の変換カーブ８２０が決定される（図７のステップＳ０５）。
【００７７】
その後、シャドー側のレンジ区間における明度補正の強度を決める経由点Ｐ４が求められる。
【００７８】
経由点Ｐ４の左右位置「Ｌ＊ｉｎｃ」も、分割点Ｐ３の左右位置のデフォルト位置と同様な、変換カーブの最下点Ｐ１および分割点Ｐ３それぞれの位置を基準としたデフォルト位置が定められており、経由点Ｐ４はこの左右位置から動かない。そして、経由点Ｐ４の高さ「Ｌ＊ｏｕｔｃ」は、最下点Ｐ１および分割点Ｐ３を結ぶ線Ｌ２が経由点Ｐ４の左右位置「Ｌ＊ｉｎｃ」を通る高さ「Ｌ＊ｏｕｔ１」が基準となって、分割点Ｐ３の高さと同様な、
Ｌ＊ｏｕｔｃ＝Ｌ＊ｏｕｔ１−（１．０−Ｒｌ）×Ｑｇｕｉ×Ｌ＊ｏｕｔ１
という式で求められる（図７のステップＳ０６）。
【００７９】
このように経由点Ｐ４の位置が求められると、最下点Ｐ１と分割点Ｐ３と経由点Ｐ４を通る２次曲線として第２の変換カーブ８３０が決定される（図７のステップＳ０７）。この結果、変換カーブは、明度レンジの差が大きいほど、また、上記調整強度が強く設定されているほど大きく曲がったカーブとなる。
【００８０】
このように変換カーブが求められると、この変換カーブが用いられて入力プロファイルにおけるＬ*値が修正される（図７のステップＳ０８）。この修正に際して、図９に示すグラフは、横軸が修正前の入力プロファイルにおけるＬ*値を表し、縦軸が修正後の入力プロファイルにおけるＬ*値を表すものと読み替えられる。図６に示す入力プロファイル明度特性変更処理部１４１によるこのような修正の結果として修正入力プロファイル７０３が得られ、この修正入力プロファイル７０３には、上述したジョブチケット編集装置のＧＵＩでユーザが設定した明度補正が反映されている。但し、このような明度補正の反映は、本実施形態では特定色相に限定して実行される。
【００８１】
図１０は、明度補正が反映される色相を示す図である。
【００８２】
この図１０には、直交座標形式のＬａｂ値が極座標形式のＬＣＨ値に置き換えられた、Ｌａｂ色空間と等価なＬＣＨ色空間における色再現領域８４０が示されており、この色再現領域８４０は、入力プロファイルのＡ２ＢにおけるＬａｂ値の範囲を表している。
【００８３】
本実施形態では、入力プロファイルにおけるＬ*値が修正される際に、色再現領域８４０におけるＣＭＹＲＧＢ６色それぞれの頂点位置がＬＣＨ値として求められ、入力プロファイルのＡ２ＢにおけるＬａｂ値がＬＣＨ値に変換される。そして、Ｌ軸上の白色点Ｗから見てＲ色の頂点とＭ色の頂点との間に広がる色相領域８５０に存在する座標点のＬ*値のみに、上述した明度補正を反映した修正が施される。さらに、その修正時には、この色相領域８５０内の特定点Ｐ５では値「１」となり、その特定点Ｐ５から離れて線ＲＷや線ＭＷに近づくに連れて値「０」に近づく重みが用いられる。
【００８４】
このように、明度補正の反映が特定の色相領域８５０に限定されていることによって、例えば人の顔の輪郭だけを際だたせるような明度補正が可能となる。
【００８５】
なお、本発明では、明度補正の反映が特定色相に限定された形態の他に、明度補正の反映がグレー領域のみに限定された形態もあり得る。
【００８６】
図１１は、明度補正が反映されるグレー領域を示す図である。
【００８７】
この図１１にも、図１０と同様に色再現領域８４０が示されており、白色点Ｗを中心とした、Ｃ値が所定値以下のグレー領域８６０も示されている。このグレー領域８６０に限定されてＬ*値が修正される形態では、白色点Ｗでは値「１」となり、その白色点Ｗから離れてグレー領域８６０の境界に近づくに連れて値「０」に近づく重みが修正時に用いられる。
【００８８】
図７のステップＳ０８で明度補正が入力プロファイルに反映されて、図６に示す修正入力プロファイル７０３が得られると、この修正入力プロファイル７０３と、上述した出力プロファイル７０２が、デバイスリンクプロファイル生成部１４２によって結合され、デバイスリンクプロファイル７０４が得られる（図７のステップＳ０９）。そして、そのデバイスリンクプロファイル７０４に従って色処理実行部１４３で入力データ１５０に色処理が施されて出力データ１６０が得られる（図７のステップＳ１０）。
【００８９】
以上説明した一連の処理によって、本実施形態では、ユーザの操作によって適切に調整されて定義された明度補正が反映された色変換処理が実現されるので、適切な画質を有する出力画像などが得られることとなる。
【００９０】
次に、上述した実施形態とは別の実施形態について説明する。
【００９１】
この別の実施形態も、図１に示す入力＿編集＿出力システムに適用されて、図３に示す色変換システムとして機能するものであり、図５に示す各プログラムによって構築される。但し、図５の色処理部６０によって構築される色処理部の詳細が上述した実施形態とは異なっており、上述した実施形態では、入力プロファイルのＬ*値が修正されることによって明度補正が実現されているのに対して、この別の実施形態では、出力プロファイルのＫ値が修正されることによって明度補正が実現されている。
【００９２】
図１２は、別の実施形態の色変換システムが有する色処理部の詳細を示す図であり、図１３は、その色処理部における処理内容を表すフローチャートである。以下の説明ではこれら図１２および図１３を参照すると共に、適宜、グラフなどを参照する。また、図１２に示すもののうち、図６に示すものと同じものについては同一の符号を付して説明を省略する。
【００９３】
この別の実施形態では、図６に示す入力プロファイル明度特性変更処理部１４１に替えて、出力プロファイルＢ２ＡＫ値修正処理部１４４が備えられている。この出力プロファイルＢ２ＡＫ値修正処理部１４４は、図５に示す色変換プログラム５０のレンジ補正部６１によって構築されるものである。
【００９４】
本実施形態でも、色処理部は、ジョブチケットに含まれた、明度補正の定義に従った処理を行うものであり、図３に示すジョブチケット編集装置２５０のＧＵＩで、この明度補正の定義として調整開始点と調整強度が設定される（図１３のステップＳ２１）。
【００９５】
また、ジョブチケットで指定された入力プロファイル７０１と出力プロファイル７０２とのそれぞれにおけるＡ２Ｂが用いられて、色再現可能な範囲のＬ*値の幅（明度レンジ）が求められ、その明度レンジの比から強度係数Ｒｌが、図８に示すグラフによって求められる（図１３のステップＳ２２）。
【００９６】
次に、この別の実施形態では、出力プロファイル７０２における白点のＬ*値と黒点のＬ*値が求められる（図１３のステップＳ２３）。そして、これらのＬ*値と、上記ステップＳ２１で設定されている調整開始点および調整強度とに基づいて、明度補正（明度変換）を実現するためのＬ*−ΔＫ対応カーブが以下説明するように求められる（図１３のステップＳ２４）。
【００９７】
図１４は、Ｌ*−ΔＫ対応カーブを示す図である。
【００９８】
この図の横軸は、出力プロファイルのＢ２ＡにおけるＬ*値を示しており、白点のＬ*値「Ｌ＊ｏｕｔｗ」から黒点のＬ*値「Ｌ＊ｏｕｔｂ」に至る明度レンジが示されている。また、この図の縦軸は、出力プロファイルのＢ２ＡにおけるＫ値に対する修正値を示している。
【００９９】
この図の横軸上には、明度レンジを２つのレンジ区間に分割する分割点の位置「Ｌ＊ｏｕｔｓ」が示されており、この位置に対するデフォルト位置が、明度レンジを「０」から「１」として規格化された比率によって定められている。そして、この比率が、実際の明度レンジに適用されて、無調整時の分割点の位置「Ｌ＊ｏｕｔｓ０」が求められており、図の横軸上に示された位置「Ｌ＊ｏｕｔｓ」は、上記調整開始点として設定されている係数値Ｐｇｕｉが用いられて、
Ｌ＊ｏｕｔｓ＝Ｐｇｕｉ×Ｌ＊ｏｕｔｓ０
という式で求められる。この分割点の位置よりも左側が第１のレンジ区間であり、この第１のレンジ区間におけるＬ*−ΔＫ対応カーブは常にΔＫ＝０となっている。また、分割点の位置よりも右側は第２のレンジ区間であり、この第２のレンジ区間における対応カーブ部分８７０については予めデフォルトカーブが、ｘ＝０からｘ＝１までで規格化されたカーブＦ（ｘ）として用意されている。そして、このカーブＦ（ｘ）が、分割点の位置「Ｌ＊ｏｕｔｓ」から黒点のＬ*値「Ｌ＊ｏｕｔｂ」までの範囲に拡張されたカーブＦ’（Ｌ＊ｏｕｔ）が求められ、更に、上記強度係数Ｒｌと、上記調整強度として設定された係数値Ｑｇｕｉとに基づいて、
ΔＫ＝（１．０−Ｒｌ）×Ｑｇｕｉ×Ｆ’（Ｌ＊ｏｕｔ）
という式で、第２のレンジ区間における対応カーブ部分８７０が算出される。この結果、ユーザの操作による定義に従った明度補正を実現するＬ*−ΔＫ対応カーブが得られることとなる。
【０１００】
図１３のステップＳ２４でこのようにＬ*−ΔＫ対応カーブが得られると、次に、出力プロファイルのＢ２Ａに対してこのＬ*−ΔＫ対応カーブが適用されて、入力側のＬ*値に対するΔＫ値が求められ、そのΔＫ値が出力側のＫ値に加算される（図１３のステップＳ２５）。このようなΔＫ値の加算が図１２に示す出力プロファイルＢ２ＡＫ値修正処理部１４４で実行されると修正出力プロファイル７０５が得られ、この修正出力プロファイル７０５には、上述したジョブチケット編集装置のＧＵＩでユーザが設定した明度補正が反映されている。
【０１０１】
このように得られた修正出力プロファイル７０５と、上述した入力プロファイル７０１は、デバイスリンクプロファイル生成部１４２によって結合され、デバイスリンクプロファイル７０６が得られる（図１３のステップＳ２６）。そして、そのデバイスリンクプロファイル７０６に従って色処理実行部１４３で入力データ１５０に色処理が施されて出力データ１６０が得られる（図１３のステップＳ２７）。
【０１０２】
以上説明した一連の処理によって、この別の実施形態でも、ユーザの操作によって適切に調整されて定義された明度補正が反映された色変換処理が実現されるので、適切な画質を有する出力画像などが得られることとなる。明度補正は、出力プロファイルのＫ値のみに反映されているので、明度補正に起因した、意図しない色相変化などは回避されている。
【０１０３】
最後に、明度補正が出力プロファイルのＢ２ＡにおけるＣＭＹ値に反映される形態について説明する。この形態では、Ｂ２Ａにおける入力側のＬ*値に対するΔＫ値を表す、図１４に示すＬ*−ΔＫ対応カーブに替えて、Ｂ２Ａにおける入力側のＬ*値に対する、ΔＣ値、ΔＭ値、およびΔＹ値を表す３つの対応カーブが求められ、その３つの対応カーブに従って、Ｂ２Ａにおける出力側のＣＭＹ値が修正される。
【０１０４】
図１５は、Ｌ*値に対する、ΔＣ値、ΔＭ値、およびΔＹ値を表す対応カーブを示す図である。
【０１０５】
この図１５の横軸は、出力プロファイルのＢ２ＡにおけるＬ*値を示しており、縦軸は、出力プロファイルのＢ２ＡにおけるＣＭＹ値に対する修正値を示している。
【０１０６】
この図に示す３つの対応カーブ部分８８０Ｃ，８８０Ｍ，８８０Ｙは、それぞれ、図１４に示す対応カーブ部分８７０と同様に求められたものであり、これらの対応カーブ部分８８０Ｃ，８８０Ｍ，８８０Ｙそれぞれのシャドー端点Ｐ６，Ｐ７，Ｐ８が表すΔＣ値、ΔＭ値、およびΔＹ値の相対比率は、出力プロファイルの黒点におけるＣＭＹの相対比率と同じ相対比率になっている。このため、これらの対応カーブ部分８８０Ｃ，８８０Ｍ，８８０Ｙそれぞれに従ってＣＭＹ値が修正された場合にも、色相が変わることなく明度のみが修正されることとなる。
【０１０７】
このようにＣＭＹ値が修正される形態では、出力画像の画質に影響するＫ値が維持された状態での明度補正が可能となり、明度補正に起因した、意図しない画質劣化などが回避される。
【０１０８】
なお、上記説明では、本発明にいう第１の色変換定義および第２の色変換定義の一例として入力プロファイル及び出力プロファイルが示されているが、本発明にいう第１の色変換定義および第２の色変換定義は、双方とも入力プロファイルであってもよく、あるいは双方とも出力プロファイルであってもよい。
【０１０９】
また、上記説明では、本発明にいう明度補正定義の一例を含んだジョブチケットが示されているが、本発明にいう明度補正定義は、ジョブチケットとは独立に用意されたものであってもよい。
【０１１０】
また、上記説明では、本発明にいう明度補正定義作成部および明度補正定義部の一例として、色変換装置から独立したジョブチケット編集装置が示されているが、本発明にいう明度補正定義部は、色変換装置に組み込まれたものであってもよい。
【０１１１】
また、上記実施形態では、明度補正が入力プロファイルや出力プロファイルに反映されることによって色変換に明度補正が反映される例が示されているが、本発明にいう色変換修正部は、入力プロファイルや出力プロファイルが結合されてデバイスリンクプロファイルが作成される際の結合手順中に明度補正を組み込んでデバイスリンクプロファイルのみに反映させるものであってもよい。
【０１１２】
また、上記の各実施形態では、明度レンジが２つのレンジ区間に分割される例が示されているが、本発明にいうレンジ区間は３つ以上の区間であってもよい。
【図面の簡単な説明】
【０１１３】
【図１】本発明の一実施形態が適用された入力＿編集＿出力システムの全体構成図である。
【図２】図１に示す色変換サーバに代表されるコンピュータシステムのハードウェア構成図である。
【図３】図１に示す入力＿編集＿出力システム上に構築された本発明の色変換システムの一実施形態の機能を示す機能ブロック図である。
【図４】プロファイルの概念構造図である。
【図５】図１に示す入力＿編集＿出力システム上に図３に示す色変換システムを構築するための各プログラムを記憶した記憶媒体を示す図である。
【図６】図３に示す色変換システムの色変換装置が有する色処理部の詳細を示す図である。
【図７】色処理部における処理内容を表すフローチャートである。
【図８】強度係数Ｒｌを求めるグラフを表す図である。
【図９】変換カーブを表した図である。
【図１０】明度補正が反映される色相を示す図である。
【図１１】明度補正が反映されるグレー領域を示す図である。
【図１２】別の実施形態の色変換システムが有する色処理部の詳細を示す図
【図１３】別の実施形態の色変換システムが有する色処理部における処理内容を表すフローチャートである。
【図１４】Ｌ*−ΔＫ対応カーブを示す図である。
【図１５】Ｌ*値に対する、ΔＣ値、ΔＭ値、およびΔＹ値を表す対応カーブを示す図である。
【符号の説明】
【０１１４】
１０    フレキシブルディスク
２０    ＣＤ−ＲＯＭ
３０    プログラム記憶媒体
４０    ジョブチケット編集プログラム
５０    色変換プログラム
５１    入力処理部
５５    出力処理部
５６    制御部
６０    色処理部
６１    レンジ補正部
６２    リンクプロファイル作成部
６３    色処理実行部
１００    色変換サーバ
１２０    ジョブチケット記憶装置
１２１    ジョブチケット
１３０    色変換装置
１３１    入力処理部
１３５    出力処理部
１３６    制御部
１３７    プロファイル記憶部
１４０    色処理部
１４１    入力プロファイル明度特性変更処理部
１４２    デバイスリンクプロファイル作成部
１４３    色処理実行部
１４４    出力プロファイルＢ２ＡＫ値修正処理部
２００，２１０，２２０    クライアントマシン
２５０    ジョブチケット編集装置
３００，３１０    ＲＩＰサーバ
４００    スキャナ
５００    通信回線
６００，６１０，６２０    プリンタ
７００    プロファイル
７０１    入力プロファイル
７０２    出力プロファイル
７０３    修正入力プロファイル
７０５    修正出力プロファイル
７０６，７０４    デバイスリンクプロファイル
７１０    順変換定義部（Ａ２Ｂ）
７２０    逆変換定義部（Ｂ２Ａ）
【図１】
2005252985.tif 000003
【図２】
2005252985.tif 000004
【図３】
2005252985.tif 000005
【図４】
2005252985.tif 000006
【図５】
2005252985.tif 000007
【図６】
2005252985.tif 000008
【図７】
2005252985.tif 000009
【図８】
2005252985.tif 000010
【図９】
2005252985.tif 000011
【図１０】
2005252985.tif 000012
【図１１】
2005252985.tif 000013
【図１２】
2005252985.tif 000014
【図１３】
2005252985.tif 000015
【図１４】
2005252985.tif 000016
【図１５】
2005252985.tif 000017